(57)【特許請求の範囲】
【請求項１】
吊掛け部を備えたジョイントキャップを有し、該ジョイントキャップ内に、室内に設置される負荷に配線される複数本のケーブルの一方の端末を接続する分岐配線用のユニットケーブルであって，
前記ジョイントキャップ内に配線される前記複数本のケーブルの内の天井裏、外壁の内側などに吹き付けられている発泡ポリウレタン断熱材に接触した状態で配線するケーブルは，
導体の上にポリエチレン樹脂からなる絶縁体を被覆して絶縁線心を形成し、前記絶縁線心を２本並べて配置し一対の絶縁線心を形成し、該一対の絶縁線心の上に絶縁耐燃ポリエチレンからなり、前記発泡ポリウレタン断熱材と略同一色に着色されたシースを被覆して形成する平型ケーブルで構成し，
前記ジョイントキャップ内に配線される前記複数本のケーブルの内の他のケーブルは，ＶＶＦ又はＣＶＦで構成し，
てなることを特徴とする分岐配線用のユニットケーブル。
【発明の詳細な説明】
【０００１】
【発明の属する技術分野】
本発明は、マンションやビルディング等の低電圧電線の配線に使用される分岐配線用のユニットケーブルに関するものである。
【０００２】
【従来の技術】
マンションやビルディング、集合住宅、工場等における電力供給のための屋内配線は、天井裏や外壁の内側に沿って配線をすることが一般的である。この屋内配線には、ＶＶＦ（６００Ｖビニル絶縁ビニルシース平形ケーブル）やＣＶＦ（架橋ポリエチレン絶縁ビニルシース平形ケーブル）等からなる屋内配線用平型ケーブル、及び該屋内配線用平型ケーブルを複数本束ねてなるユニットケーブルが多く用いられており、マンション等の壁面に配線され、屋内の照明やスイッチ、コンセント等およびその他の付加器具等と接続されるようになっている。
【０００３】
一般に、マンションやビルディング等の建物においては、外壁の内側に、結露防止や断熱による冷暖房の省エネ等のために、断熱材が使用されている。この断熱材としては、その効果や作業性などから発泡ポリウレタンを外壁の内側に吹き付ける工法が最も多く用いられている。
【０００４】
この断熱材として使用される発泡ポリウレタンには、一般に、硬化促進剤として第三級アミン等が含有されており、発泡ポリウレタンが外壁の内側に吹き付けられた直後に発泡ポリウレタンの硬化を開始させ、液だれなどを防ぐことができ、優れた硬化促進作用を有している。
【０００５】
【発明が解決しようとする課題】
しかし、第三級アミンを含有した発泡ポリウレタン断熱材が吹き付けられた建物の外壁内側に屋内配線用平型ケーブルを配線すると、該屋内配線用平型ケーブルと発泡ポリウレタン断熱材が接触したり覆われたりする場合があった。
【０００６】
ＶＶＦなどの塩化ビニル樹脂を用いた屋内配線用平型ケーブルと発泡ポリウレタン断熱材が接触すると、発泡ポリウレタン断熱材に含有される第三級アミンが還元作用を有し、屋内配線用平型ケーブルの塩化ビニル樹脂の脱塩酸反応を促進して塩化ビニル樹脂の劣化を早めてしまい、絶縁抵抗の低下や変色を起こしてしまうという不具合があった。
【０００７】
また、ＶＶＦの代わりにＣＶＦケーブルを用いた場合においては、ＣＶＦケーブルの絶縁体はポリエチレン系樹脂からなるので発泡ポリウレタン断熱材に含有する第三級アミンによる影響を受けないが、ＣＶＦケーブルのシースは塩化ビニル樹脂組成物で構成されているため、該シースと発泡ポリウレタン断熱材が接触すると脱塩酸反応を促進してしまい、ケーブルとしての絶縁抵抗の低下や、変色等を起こしてしまっていた。
【０００８】
このため、塩化ビニル樹脂を用いた屋内配線用平型ケーブルおよびそのユニットケーブルの塩化ビニル樹脂の劣化を防ぐために、発泡ポリウレタン断熱材に接触したり覆われたりする箇所にポリエチレン製やポリプロピレン製の電線管を通したり、ポリエステル等からなるテープを巻きつけたりして発泡ポリウレタン断熱材との接触を遮断することが行われていたが、これらの対策のために施工コストも高くなってしまっていた。
【０００９】
本発明の目的は、発泡ポリウレタン断熱材と接触しても劣化することがなく、絶縁抵抗の低下や変色をすることのない作業性に優れた分岐配線用のユニットケーブルを提供することにある。
【００１０】
【課題を解決するための手段】
上記目的を達成するために、請求項１に記載の分岐配線用のユニットケーブルは、吊掛け部を備えたジョイントキャップを有し、該ジョイントキャップ内に、室内に設置される負荷に配線される複数本のケーブルの一方の端末を接続する分岐配線用のユニットケーブルであって，前記ジョイントキャップ内に配線される前記複数本のケーブルの内の天井裏、外壁の内側などに吹き付けられている発泡ポリウレタン断熱材に接触した状態で配線するケーブルは，導体の上にポリエチレン樹脂からなる絶縁体を被覆して絶縁線心を形成し、前記絶縁線心を２本並べて配置し一対の絶縁線心を形成し、該一対の絶縁線心の上に絶縁耐燃ポリエチレンからなり、前記発泡ポリウレタン断熱材と略同一色に着色されたシースを被覆して形成する平型ケーブルで構成し，前記ジョイントキャップ内に配線される前記複数本のケーブルの内の他のケーブルは，ＶＶＦ又はＣＶＦで構成してなることを特徴としている。
このように請求項１に記載の発明によると、絶縁抵抗の低下や変色をすることがなく、断熱材と接触する箇所を容易に識別することが可能となり、他のケーブルとの識別も容易で、絶縁抵抗の低下や変色をすることがなく、かつ断熱材との接触箇所を容易に識別することが可能な分岐配線用のユニットケーブルを提供することができる。
【００１３】
【発明の実施の形態】
以下、本発明に係る分岐配線用のユニットケーブルの実施の形態について説明する。
図１には、本発明に係る分岐配線用のユニットケーブルに用いられる屋内配線用平型ケーブルの一実施の形態を示す断面図が示されている。
図１において、１は本発明に係る屋内配線用平型ケーブルを示している。屋内配線用平型ケーブル１は、並んで配置される一対の絶縁線心２と、これらの絶縁線心２に被覆されるシース３とを備えており、その断面視が略長円状になるように構成されている。
【００１４】
絶縁線心２は、導体４と絶縁体５とを備えている。また、絶縁線心２は、導体４の上に絶縁体５を被覆することで形成されている。導体４は導電性を有し、絶縁体５はポリオレフィン樹脂で形成されている。また、この絶縁線心２を被覆するシース３もポリオレフィン樹脂で形成されている。本実施の形態においては、屋内配線用平型ケーブル１はＥＭ−ＥＥＦ（ポリエチレン絶縁耐燃ポリエチレンシースケーブル）で形成されている。
【００１５】
このＥＭ−ＥＥＦからなる屋内配線用平型ケーブル１は、導体４が軟銅で形成されていて、絶縁体５はポリエチレン樹脂で形成され、シース３は耐燃ポリエチレン樹脂で形成されている。本実施の形態において絶縁体５を形成するポリエチレン樹脂及びシース３を形成する耐燃ポリエチレン樹脂は、組成上、塩素分子が含有されていないため、配線時に屋内配線用平型ケーブル１と発泡ポリウレタン断熱材とが接触しても、発泡ポリウレタン断熱材に含まれる第三級アミン等による還元作用で脱塩酸反応等が起こることがなく、ケーブルの絶縁抵抗の低下や劣化を起こすことがない。
【００１６】
すなわち、屋内配線用平型ケーブル１と発泡ポリウレタン断熱材が接触をしてもよく、屋内配線用平型ケーブル１に電線管やテープを被覆することが不要となる。
【００１７】
本実施の形態では屋内配線用平型ケーブル１の絶縁体５がポリエチレン樹脂、シース３が耐燃ポリエチレン樹脂からなるＥＭ−ＥＥＦを用いているが、これに限るものではなく、ＣＥＦ（架橋ポリエチレン絶縁ポリエチレンシース平形ケーブル）やノンハロゲン耐火ケーブル等の絶縁体５及びシース３がオレフィン系樹脂で形成されたものであればよいものである。オレフィン系樹脂は化学反応に強い耐性を持っているので、絶縁体５及びシース３にオレフィン系樹脂を使用することにより、発泡ポリウレタン断熱材と接触してもケーブルとしての絶縁抵抗の低下や変色をすることがない。
【００１８】
また、本発明の屋内配線用平型ケーブル１の最外層であるシース３には、着色用顔料が含まれていて、任意の色彩が施されている。本実施の形態において、シース３は若草色に色彩が施されている。シース３を若草色に着色したのは、外壁内側の断熱材として使用される発泡ポリウレタンの色彩が若草色であることが多く、屋内配線用平型ケーブル１を外壁内側に施工した際に、発泡ポリウレタン断熱材と屋内配線用平型ケーブル１とが略同一色となり、美観上好ましいからである。
【００１９】
また、屋内配線用平型ケーブル１の色彩を統一することで、配線時に色によるケーブルの識別が可能となり、誤配線等を防ぐことができるようになる。
【００２０】
図２には、本発明に係るユニットケーブルの一実施の形態が示されている。  図２において、６は図１に示す屋内配線用平型ケーブル１を用いたユニットケーブルである。ユニットケーブル６は、上部に吊掛け部７を有する釣り鐘状のジョイントキャップ８内に、照明、スイッチ及びコンセントなどの負荷等に配線される複数本のケーブルの一方の端末を接続した構造となっており、住宅などの屋根裏等に前記吊掛け部７で吊下げられるようになっている。
【００２１】
本実施の形態において、ユニットケーブル６のジョイントキャップ８に一端が接続されるケーブルには、図１に示す屋内配線用平型ケーブル１が用いられた構造となっている。本実施の形態において、屋内配線用平型ケーブル１は絶縁体がポリエチレン樹脂、シースが耐燃ポリエチレン樹脂からなるＥＭ−ＥＥＦである。複数本の屋内配線用平型ケーブル１は、それぞれ照明やスイッチ等に接続するために配線されるものであるが、本実施の形態におけるユニットケーブル６は、屋内配線用平型ケーブル１の絶縁体及びシースがポリオレフィン樹脂で形成されているので、その配線時に発泡ポリウレタン断熱材が吹き付けられた外壁内側に接触するような箇所に配線する場合でも、ユニットケーブル６としての絶縁抵抗の低下や変色等を防ぐことができる。
【００２２】
また、本実施の形態におけるユニットケーブル６は、ジョイントキャップ８と接続する全てのケーブルを、絶縁体とシースがポリオレフィン樹脂からなる屋内配線用平型ケーブル１で構成したものであったが、これに限るものではなく、配線上、発泡ポリウレタン断熱材と接触しうるケーブルのみを屋内配線用平型ケーブル１とし、他の箇所に配線するケーブルはＶＶＦなどからなるケーブルとする構造にしてもよい。このような構造とすることで、複数本のケーブルから発泡ポリウレタン断熱材と接触しうる屋内配線用平型ケーブル１を容易に識別することが可能となり、ユニットケーブル６の誤配線を防止することができる。
【００２３】
また、本実施の形態におけるユニットケーブル６の屋内配線用平型ケーブル１のうち、発泡ポリウレタン断熱材と接触しうる箇所に接続した屋内配線用平型ケーブル１は、その最外層のシースに着色用顔料を含ませることによって色彩が施されている。屋内配線用平型ケーブル１は、本実施の形態においては若草色に着色されている。屋内配線用平型ケーブル１を若草色とすると、若草色であることが多い発泡ポリウレタン断熱材と略同一色とすることができ、配線後において屋内配線用平型ケーブル１が目立たず美観上好ましい。
【００２４】
なお、本実施の形態における屋内配線用平型ケーブルは、着色用顔料によって若草色に着色が施されているものであったが、これに限られるものではなく、発泡ポリウレタン断熱材の色彩に合わせて、他の色に着色することも可能である。
【００２５】
【発明の効果】
本発明は、以上説明したように構成されているので、以下に記載されるような効果を奏する。
【００２６】
請求項１に記載の発明によれば、発泡ポリウレタン断熱材と接触する屋内配線用平型ケーブルを容易に識別することが可能で、発泡ポリウレタン断熱材と接触することがあっても、発泡ポリウレタン断熱材と接触する屋内配線用平型ケーブルの絶縁抵抗が低下したり、屋内配線用平型ケーブルが変色を起こしたりすることのない分岐配線用のユニットケーブルを得ることができる。
【図面の簡単な説明】
【図１】本発明に係る屋内配線用平型ケーブルの一実施の形態を示す断面図である。
【図２】本発明に係るユニットケーブルの一実施の形態を示す斜視図である。
【符号の説明】
１……………………………屋内配線用平型ケーブル
２……………………………絶縁線心
３……………………………シース
４……………………………導体
５……………………………絶縁体
６……………………………ユニットケーブル
【図１】
0003992132.tif 000002
【図２】
0003992132.tif 000003